(57)【要約】      （修正有）【課題】縦長又は横長として、建物の壁面に対する吊り掛け使用とテーブル面への据え立て使用とを行なえるようにする。【解決手段】透視窓１０を有する化粧枠１１と、その背面に固着一体化された背面板１２との前後相互間へ、各種枚葉観賞品Ｍを出し入れ自在に収納できる額縁本体Ｆと、その額縁本体Ｆの背後へ隠れる大きさの別個独立の脚板１５とから成り、額縁本体Ｆにおける背面板１２の４隅部から第１〜４索条を後向き一体的に張り出す一方、その第１〜４索条挿通孔を脚板１５の対応位置する４隅部に開口分布させて、その額縁本体の上側位置において隣り合う２本だけを、対応的な索条挿通孔に通し込んで結束使用するように定めた。【選択図】図１
0003136911.tif 000002
【実用新案登録請求の範囲】
【請求項１】
透視窓（１０）を有する化粧枠（１１）と、その背面の縁取り状態に固着一体化された背面板（１２）との前後相互間へ、絵画や写真、色紙などの各種枚葉観賞品（Ｍ）を出し入れ自在に収納して、その枚葉観賞品（Ｍ）を上記透視窓（１０）から透視する長方形の額縁本体（Ｆ）と、
その額縁本体（Ｆ）の背後へ隠れる大きさのほぼ相似な長方形に造形された別個独立の脚板（１５）とから成り、
上記額縁本体（Ｆ）における背面板（１２）の４隅部から一定長さの第１〜４索条（１４ａ）（１４ｂ）（１４ｃ）（１４ｄ）を各々後向き一体的に張り出す一方、その第１〜４索条挿通孔（１６ａ）（１６ｂ）（１６ｃ）（１６ｄ）を上記脚板（１５）の対応位置する４隅部に開口分布させて、
上記第１〜４索条（１４ａ）（１４ｂ）（１４ｃ）（１４ｄ）のうち、その額縁本体（Ｆ）の上側位置において隣り合う２本だけを、対応的な索条挿通孔へ抜き差し自在に通し込んだ上、額縁本体（Ｆ）の長辺（ｙ）に沿う延在状態又は短辺（ｘ）に沿う延在状態に結束して、
その結束した２本を建物の壁面（Ｗ）から突出するフック金具（１７）へ掛止させることにより、上記額縁本体（Ｆ）を横長又は縦長として吊り掛け使用できるほか、
上記脚板（１５）をその水平な上端縁部が背面板（１２）と接触する支点（Ｐ）の廻りに適当な交叉角度（θ）だけ背後方向へ引き起し開脚させることにより、上記額縁本体（Ｆ）を同じく横長又は縦長としてテーブル面（Ｔ）へ据え立て使用することもできるように定めたことを特徴とする据え立て可能な額縁。
【請求項２】
一定深さの箱本体（２２）と、その着脱可能な蓋体（２１）との内部へ、絵画や写真、色紙などの各種枚葉観賞品（Ｍ）を出し入れ自在に収納して、その枚葉観賞品（Ｍ）を上記蓋体（２１）の透視窓（２０）から透視する直方体の額縁本体（Ｆ）と、
その額縁本体（Ｆ）の背後へ隠れる大きさのほぼ相似な長方形に造形された別個独立の脚板（２５）とから成り、
上記額縁本体（Ｆ）における箱本体（２２）の底面４隅部から一定長さの第１〜４索条（２４ａ）（２４ｂ）（２４ｃ）（２４ｄ）を各々後向き一体的に張り出す一方、その第１〜４索条挿通孔（２６ａ）（２６ｂ）（２６ｃ）（２６ｄ）を上記脚板（２５）の対応位置する４隅部に開口分布させて、
上記第１〜４索条（２４ａ）（２４ｂ）（２４ｃ）（２４ｄ）のうち、その額縁本体（Ｆ）の上側位置において隣り合う２本だけを、対応的な索条挿通孔へ抜き差し自在に通し込んだ上、額縁本体（Ｆ）の長辺（ｙ）に沿う延在状態又は短辺（ｘ）に沿う延在状態に結束して、
その結束した２本を建物の壁面（Ｗ）から突出するフック金具（１７）へ掛止させることにより、上記額縁本体（Ｆ）を横長又は縦長として吊り掛け使用できるほか、
上記脚板（２５）をその水平な上端縁部が箱本体（２２）の底面と接触する支点（Ｐ）の廻りに適当な交叉角度（θ）だけ背後方向へ引き起し開脚させることにより、上記額縁本体（Ｆ）を同じく横長又は縦長としてテーブル面（Ｔ）へ据え立て使用することもできるように定めたことを特徴とする据え立て可能な額縁。
【請求項３】
蓋体（２１）の４隅部へ枚葉観賞品用コーナー係止片（２８ａ）（２８ｂ）（２８ｃ）（２８ｄ）を縁取り状態に固着一体化して、その合計４個により囲まれた区画内部へ枚葉観賞品（Ｍ）を表当て付属させる如く、その対応的な４隅部を抜き差し自在に差し込み係止させるように定めたことを特徴とする請求項２記載の据え立て可能な額縁。
【請求項４】
蓋体（２１）の４隅部へ枚葉観賞品用コーナー係止スリット（２９ａ）（２９ｂ）（２９ｃ）（２９ｄ）を斜線状態に切り抜いて、その合計４個により囲まれた区画内部へ枚葉観賞品（Ｍ）を表当て付属させる如く、その対応的な４隅部を抜き差し自在に差し込み係止させるように定めたことを特徴とする請求項２記載の据え立て可能な額縁。
【考案の詳細な説明】
【技術分野】
【０００１】
本考案は建物の壁面に対する吊り掛け使用のみならず、テーブル面への据え立て使用も行なえる簡便な額縁に関する。
【背景技術】
【０００２】
本考案者は先に特願２００６−１４２４１２号を提案した。これは建物の壁面に対する吊り掛け使用と、テーブル面への据え立て使用とを選択できるスタンド付き額縁に係り、本考案に最も近似する発明であると考えられる。
【特許文献１】特願２００６−１４２４１２号
【考案の開示】
【考案が解決しようとする課題】
【０００３】
ところが、上記先願発明の構成では額縁本体（Ｆ）を縦長の状態又は横長の状態として、テーブル面（Ｔ）へ著しく安定良く据え立て使用できる利点がある反面、第１〜４索条（２１ａ）（２１ｂ）（２１ｃ）（２１ｄ）の隣り合う２本づつを締結し変えるほかに、折りたたみ式スタンド（Ｓ）の回動ベース板（１５）を方向変換する必要もあるため、その操作上未だ煩らわしく、簡便性に劣る。
【０００４】
又、スタンド（Ｓ）が折りたたみ式として、回動ベース板（１５）とこれに開閉ヒンジ（１８ａ）（１８ｂ）を介して枢支連結された接地脚座（１６）とから成り、しかもその回動ベース板（１５）を額縁本体（Ｆ）の背面板（１２）へ、支点軸（１７）によって方向変換できるように枢着しているため、それだけ必要構成が複雑となり、一般家庭などへ安価に提供し難い。
【０００５】
更に、上記折りたたみ式スタンド（Ｓ）が回動ベース板（１５）と接地脚座（１６）とから成る二重構造として、額縁本体（Ｆ）の背面板（１２）に付属しているため、たとえ軽く硬質な材料を採用したとしても、額縁全体が相当厚肉化する結果となる。その厚肉化するにも拘らず、絵画や写真などの枚葉観賞品（Ｍ）以外に、例えば国民健康保険証や診察券、クレジットカード、その他の日常生活に必要な各種貴重品を収納・保管することができず、不便である。
【課題を解決するための手段】
【０００６】
本考案はこのような課題の更なる改良を目的としており、その目的を達成するために、請求項１では透視窓を有する化粧枠と、その背面の縁取り状態に固着一体化された背面板との前後相互間へ、絵画や写真、色紙などの各種枚葉観賞品を出し入れ自在に収納して、その枚葉観賞品を上記透視窓から透視する長方形の額縁本体と、
【０００７】
その額縁本体の背後へ隠れる大きさのほぼ相似な長方形に造形された別個独立の脚板とから成り、
【０００８】
上記額縁本体における背面板の４隅部から一定長さの第１〜４索条を各々後向き一体的に張り出す一方、その第１〜４索条挿通孔を上記脚板の対応位置する４隅部に開口分布させて、
【０００９】
上記第１〜４索条のうち、その額縁本体の上側位置において隣り合う２本だけを、対応的な索条挿通孔へ抜き差し自在に通し込んだ上、額縁本体の長辺に沿う延在状態又は短辺に沿う延在状態に結束して、
【００１０】
その結束した２本を建物の壁面から突出するフック金具へ掛止させることにより、上記額縁本体を横長又は縦長として吊り掛け使用できるほか、
【００１１】
上記脚板をその水平な上端縁部が背面板と接触する支点の廻りに適当な交叉角度だけ背後方向へ引き起し開脚させることにより、上記額縁本体を同じく横長又は縦長としてテーブル面へ据え立て使用することもできるように定めたことを特徴とする。
【００１２】
又、請求項２では一定深さの箱本体と、その着脱可能な蓋体との内部へ、絵画や写真、色紙などの各種枚葉観賞品を出し入れ自在に収納して、その枚葉観賞品を上記蓋体の透視窓から透視する直方体の額縁本体と、
【００１３】
その額縁本体の背後へ隠れる大きさのほぼ相似な長方形に造形された別個独立の脚板とから成り、
【００１４】
上記額縁本体における箱本体の底面４隅部から一定長さの第１〜４索条を各々後向き一体的に張り出す一方、その第１〜４索条挿通孔を上記脚板の対応位置する４隅部に開口分布させて、
【００１５】
上記第１〜４索条のうち、その額縁本体の上側位置において隣り合う２本だけを、対応的な索条挿通孔へ抜き差し自在に通し込んだ上、額縁本体の長辺に沿う延在状態又は短辺に沿う延在状態に結束して、
【００１６】
その結束した２本を建物の壁面から突出するフック金具へ掛止させることにより、上記額縁本体を横長又は縦長として吊り掛け使用できるほか、
【００１７】
上記脚板をその水平な上端縁部が箱本体の底面と接触する支点の廻りに適当な交叉角度だけ背後方向へ引き起し開脚させることにより、上記額縁本体を同じく横長又は縦長としてテーブル面へ据え立て使用することもできるように定めたことを特徴とする。
【００１８】
更に、上記請求項２に従属する請求項３では、蓋体の４隅部へ枚葉観賞品用コーナー係止片を縁取り状態に固着一体化して、その合計４個により囲まれた区画内部へ枚葉観賞品を表当て付属させる如く、その対応的な４隅部を抜き差し自在に差し込み係止させるように定めたことを特徴とする。
【００１９】
同じく上記請求項２に従属する請求項４では、蓋体の４隅部へ枚葉観賞品用コーナー係止スリットを斜線状態に切り抜いて、その合計４個により囲まれた区画内部へ枚葉観賞品を表当て付属させる如く、その対応的な４隅部を抜き差し自在に差し込み係止させるように定めたことを特徴とする。
【考案の効果】
【００２０】
請求項１の上記構成によれば、額縁本体における背面板の４隅部から後向き一体的に張り出す第１〜４索条のうち、その額縁本体の使用時に上側位置となる隣り合う２本だけを、脚板の対応位置に開口する索条挿通孔へ抜き差し自在に通し込んだ上、額縁本体の長辺に沿って延在することとなるように、又は同じく額縁本体の短辺に沿って延在することとなるように結束して、その脚板の背後へ横断状態に絡らみ付けることにより、建物の壁面に対する額縁本体の吊り掛け使用状態と、テーブル面に対する額縁本体の据え立て使用状態とを容易に得られる効果がある。
【００２１】
又、その何れにあっても、額縁本体における縦長の状態と横長の状態とを、第１〜４索条の選択的な結束（結び変え）のみによって達成でき、冒頭に述べた先願発明のような回動ベース板の方向変換操作を加える必要がないため、その操作性に著しく優れる。
【００２２】
しかも、上記隣り合う２本の索条を脚板の背後において、その横断状態に絡らみ付け結束する引き締め度合いにより、額縁本体の背面板とこれから引き起し開脚される脚板との交叉角度を、大きく又は小さく適当に調整することができ、据え立て使用時の利便性にも著しく優れる。
【００２３】
更に、上記効果を得るための必要構成としても、第１〜４索条の合計４本を悉く同じ一定長さとして、背面板の４隅部から後向き一体的に張り出すと共に、その背面板よりも小さな僅か１枚の脚板に対して、第１〜４索条挿通孔を開口分布させれば足りるため、額縁をいたづらに厚肉・重量化するおそれなく、極めて安価に製作することができ、一般家庭などに広く普及させやすい額縁を得られるのである。
【００２４】
特に、請求項２の構成によれば、贈答用衣料品や食料品などの各種商品包装箱を活用して、本考案の額縁に再生させることができ、請求項１の上記効果を得られることに加えて、その箱本体と着脱自在の蓋板とから成る額縁本体の内部へ各種枚葉観賞品のみならず、メモ用紙や切り抜き記事などの枚葉保管物、健康保険証や診察券、クレジットカードなどの貴重品をも、紛失のおそれなく収納・保管することができるため、日常生活上の利便性がますます向上する。
【００２５】
その場合、請求項３の構成を採用するならば、既製の上記商品包装箱に透視窓が無くても、その蓋体の４隅部へ固着した枚葉観賞品用コーナー係止片により、各種枚葉観賞品を正面（前方）から透視できる表当て付属状態に係止し得るほか、そのコーナー係止片により優美な縁取り装飾効果も付与できるのである。
【００２６】
更に、請求項４の構成を採用するならば、請求項３の上記構成に比して、既製の商品包装箱における外観化粧状態をいたづらに変えることなく、その本来の商品販売に供することができ、それにも拘らず商品を購買した需要者が一般家庭において、その空き箱から本考案の額縁にすばやく組み立て使用し得るのであり、商品販売業者にとっても商品の販売促進に役立つものとなる。
【考案を実施するための最良の形態】
【００２７】
以下、図面に基いて本考案の具体的構成を詳述すると、先ず図１〜１１はその据え立て可能な額縁の第１実施形態を示しており、（Ｆ）は厚紙や経木、合成樹脂、化粧合板、軽金属、その他の軽く硬質な材料から、例えば長辺（ｙ）：約３４０mm×短辺（ｘ）：約２５０mmの長方形な輪郭形状に製作された額縁本体であって、中央部に適当な大きさの透視窓（１０）が開口する化粧枠（１１）と、その化粧枠（１１）の背後へ４辺を縁取る状態に固着一体化された同じ大きさの長方形な背面板（１２）とから成る。
【００２８】
その化粧枠（１１）に対する背面板（１２）の固着手段として、図示の実施形態では接着剤を用いているが、これに代る接着テープやビス、その他の固着具を採用してもさしつかえない。
【００２９】
そして、上記額縁本体（Ｆ）を形作る化粧枠（１１）とその背面板（１２）との前後相互間が、使用者の希望する絵画や写真、色紙、賞状、証書、その他の各種枚葉観賞品（Ｍ）を収納できる観賞品収納スペース（Ｓ）として区画形成されている。
【００３０】
その場合に、長方形な化粧枠（１１）又は／及び背面板（１２）の４辺を折り返し重合状態に厚肉化したり、同じく４辺を断面コ字型やＬ字型に造形したり、或いは又その化粧枠（１１）と背面板（１２）との前後相互間へ、別個なスペーサー（図示省略）を縁取り状態に介在させたりして、上記枚葉観賞品（Ｍ）の予備も含む複数枚を収納できるように、その収納スペース（Ｓ）を広く確保しても良い。
【００３１】
何れにしても、上記化粧枠（１１）とその背面板（１２）とから成る額縁本体（Ｆ）の使用時に上側位置となる１辺のみか、又は隣り合う長辺（ｙ）と短辺（ｘ）との２辺には、上記観賞品収納スペース（Ｓ）と連通する観賞品出し入れスリット（１３）が開口形成されており、ここから枚葉観賞品（Ｍ）をその収納スペース（Ｓ）に対して、円滑に出し入れ操作することができるようになっている。
【００３２】
（１４ａ）（１４ｂ）（１４ｃ）（１４ｄ）は上記額縁本体（Ｆ）における背面板（１２）の４隅部から後向き一体的に張り出された合計４本の第１〜４索条であって、悉く同じ一定長さの紐やロープなどの可撓材料から成り、その各個の根元部は図示省略してあるが、上記背面板（１２）へ抜け止め状態に取り付け固定されている。
【００３３】
又、（１５）は上記額縁本体（Ｆ）と別個独立の脚板であって、その額縁本体（Ｆ）と同種の軽く硬質な材料から、上記背面板（１２）の背後に隠れる大きさのほぼ相似な輪郭形状（長方形）に造形されており、額縁本体（Ｆ）の４辺から見苦しく張り出し露呈しないようになっている。
【００３４】
しかも、その脚板（１５）における上記第１〜４索条（１４ａ）（１４ｂ）（１４ｃ）（１４ｄ）の取付位置と向かい合い対応する４隅部には、その第１〜４索条挿通孔（１６ａ）（１６ｂ）（１６ｃ）（１６ｄ）の合計４個が開口分布されており、ここへ上記背面板（１２）の第１〜４索条（１４ａ）（１４ｂ）（１４ｃ）（１４ｄ）を各々直通状態として抜き差し自在に通し込むことにより、その別個な脚板（１５）を額縁本体（Ｆ）へ絡らみ付け締結することができるようになっている。
【００３５】
そして、上記合計４本存在する第１〜４索条（１４ａ）（１４ｂ）（１４ｃ）（１４ｄ）のうち、その隣り合う２本づつを長方形な額縁本体（Ｆ）との関係上、その長辺（ｙ）に沿う平行な延在状態又は短辺（ｘ）に沿う平行な延在状態として、選択的に結束（結び変え）使用するのである。
【００３６】
即ち、今図２〜５のように額縁本体（Ｆ）を横長の状態として、その背面板（１２）から張り出している第１〜４索条（１４ａ）（１４ｂ）（１４ｃ）（１４ｄ）のうち、上側位置の第１、２索条（１４ａ）（１４ｂ）だけを脚板（１５）の対応的な第１、２索条挿通孔（１６ａ）（１６ｂ）へ通し込んだ上、その脚板（１５）の背後において、額縁本体（Ｆ）の長辺（ｙ）に沿い延在することとなるように結束する一方、残る下側位置の第３、４索条（１４ｃ）（１４ｄ）は同じく脚板（１５）の対応的な第３、４索条挿通孔（１６ｃ）（１６ｄ）へ通し込むことなく、これらをそのまま背面板（１２）の背後において、上記第１、２索条（１４ａ）（１４ｂ）と平行に延在することとなるように結束し、上記脚板（１５）を額縁本体（Ｆ）から背後方向へ適当な交叉角度（θ）だけ引き起し開脚させることにより、その額縁本体（Ｆ）を横長の状態としてテーブル面（Ｔ）へ安定良く据え立て使用することができる。
【００３７】
他方、上記額縁本体（Ｆ）を図６〜８のような縦長の状態として、その背面板（１２）から張り出している第１〜４索条（１４ａ）（１４ｂ）（１４ｃ）（１４ｄ）のうち、今度は上側位置の第２、４索条（１４ｂ）（１４ｄ）だけを脚板（１５）の対応する第２、４索条挿通孔（１６ｂ）（１６ｄ）へ通し込んだ上、その脚板（１５）の背後において、額縁本体（Ｆ）の短辺（ｘ）に沿い延在することとなるように結束し、上記脚板（１５）をやはり額縁本体（Ｆ）から背後方向へ適当な交叉角度（θ）だけ引き起し開脚させることにより、その額縁本体（Ｆ）を縦長の状態としてテーブル面（Ｔ）へ安定良く据え立て使用することができる。
【００３８】
その場合にも、下側位置に残っている第１、３索条（１４ａ）（１４ｃ）は脚板（１５）の対応する第１、３索条挿通孔（１６ａ）（１６ｃ）へ通し込まず、これらをそのまま背面板（１２）の背後において、上記第２、４索条（１４ｂ）（１４ｄ）と平行に延在することとなるように結束することにより、見苦しく垂れ下がり露出しないように後始末しておけば良い。
【００３９】
何れにしても、額縁本体（Ｆ）の上側位置において隣り合う２本の索条（図２〜５の第１、２索条（１４ａ）（１４ｂ）や図６〜８の第２、４索条（１４ｂ）（１４ｄ））だけを、脚板（１５）の背後へ横断状態に絡らみ付ける如く結束すれば、その脚板（１５）の水平な上端縁部が背面板（１２）と接触して、額縁本体（Ｆ）を突っ張り支持することになるため、その接触する支点（Ｐ）の廻りに脚板（１５）が開閉する上記交叉角度（θ）を、上記結束時の引き締め度合いによって調整することができ、これを強め（堅め）れば上記交叉角度（θ）は小さくなり、弱め（緩め）れば交叉角度（θ）は大きくなる。
【００４０】
又、図２〜５のような横長の状態にある額縁本体（Ｆ）の上側位置において、その脚板（１５）の背後へ絡らみ付ける如く結束される第１、２索条（１４ａ）（１４ｂ）の引き締め度合いを、その額縁本体（Ｆ）の据え立て使用時よりも更に一層弱め（緩め）て、余裕代がある適当な一定長さに結束すれば、上記第１、２索条（１４ａ）（１４ｂ）を図９、１０のような建物の壁面（Ｗ）から一体的に突出するフック金具（１７）へ掛け止めることにより、上記額縁本体（Ｆ）をやはり横長の状態として吊り掛け使用することもできる。
【００４１】
更に、図６〜８のような縦長の状態にある額縁本体（Ｆ）の上側位置において、その脚板（１５）の背後へ絡らみ付ける如く結束される第２、４索条（１４ｂ）（１４ｄ）の引き締め度合いを、その額縁本体（Ｆ）の据え立て使用時よりも更に一層弱め（緩め）て、やはり余裕代がある適当な一定長さに結束すれば、上記第２、４索条（１４ｂ）（１４ｄ）を図１１のような建物の壁面（Ｗ）から突出するフック金具（１７）へ掛け止めることにより、上記額縁本体（Ｆ）を同じ縦長の状態として吊り掛け使用することもできるのである。
【００４２】
このように建物の壁面（Ｗ）へ吊り掛け使用する場合、上記脚板（１５）は自づと垂れ下がって、額縁本体（Ｆ）の背面板（１２）へ重合することになるため、下側位置に残っている隣り合う２本の索条（図２〜５の第３、４索条（１４ｃ）（１４ｄ）や図６〜８の第１、４索条（１４ａ）（１４ｃ））は、その背面板（１２）の背後において結束された状態のままに放置してもさしつかえないが、これらも脚板（１５）の背後へ横断状態に絡らみ付ける如く結束しておくことが望ましい。
【００４３】
そうすれば、上記壁面（Ｗ）のフック金具（１７）から額縁本体（Ｆ）を吊り降ろす際に、その脚板（１５）が振れ動くおそれを防止できるほか、上記結束時の引き締め度合いを強め（堅め）ることにより、額縁本体（Ｆ）の背面板（１２）とその脚板（１５）との前後相互間へ、例えばメモ用紙や新聞などの切り抜き記事、その他の枚葉保管物（図示省略）を挟み付ける如く秘蔵することもでき、日常生活上の利便性が向上するからである。上記脚板（１５）に伸縮バンド（図示省略）を巻き付け使用して、このような枚葉保管物を弾力的に押さえ付けることも考えられる。
【００４４】
次に、図１２〜２１は本考案に係る据え立て可能な額縁の第２実施形態を示しており、これでは額縁本体（Ｆ）が一定深さの箱本体（２２）と、その着脱可能な蓋体（２１）とから直方体に組み合わされている。その箱本体（２２）は上記第１実施形態の背面板（１２）に相当し、蓋体（２１）は同じく化粧枠（１１）に相当するが、そのほかに箱本体（２２）の背後へ隠れる大きさのほぼ相似な輪郭形状（長方形）をなす別個独立の脚板（２５）も用意されている。
【００４５】
このような第２実施形態の額縁本体（Ｆ）としては、厚紙や経木、化粧合板、合成樹脂などの軽く硬質な材料から成る各種商品包装箱を活用することができる。殊更、図１４に抽出して示すような蓋体（２１）の中央部に、透明の合成樹脂フィルム（２０）が裏当て固着された贈答用衣料品や食料品などの比較的浅い包装箱を採用することが好ましい。
【００４６】
これによれば、その透明の合成樹脂フィルム（２０）が上記第１実施形態の透視窓（１０）として機能し得るため、これをわざわざ開口形成する手数が省けるばかりでなく、着脱自在の蓋体（２１）によって被覆される箱本体（２２）の内部を、上記第１実施形態の観賞品収納スペース（Ｓ）としてそのまま利用でき、その収納スペース（Ｓ）と連通する観賞品出し入れスリット（１３）の切り欠き加工も不要になる。
【００４７】
又、上記箱本体（２２）の内部へ、正面（前方）から透視する絵画や写真、色紙などの枚葉観賞品（Ｍ）のみならず、先の第１実施形態において述べた枚葉保管物や、例えば国民健康保険証、診察券、クレジットカード、その他の貴重品も収納・保管することができ、日常生活上の利便性がますます向上する。
【００４８】
そして、蓋体（２１）に透視窓（１０）が開口していない商品包装箱を、上記額縁本体（Ｆ）として採用する場合には、図１８から明白な枚葉観賞品用コーナー係止片（２８ａ）（２８ｂ）（２８ｃ）（２８ｄ）の合計４個を、その蓋体（２１）の４隅部へ縁取り状態に固着一体化するか、又は図１５に抽出して示すような枚葉観賞品用コーナー係止スリット（２９ａ）（２９ｂ）（２９ｃ）（２９ｄ）の合計４個を、やはり蓋体（２１）の４隅部へ斜線状態に切り抜き、これらから囲まれた区画内部を言わば枚葉観賞品収納スペース（Ｓ）として、ここへ枚葉観賞品（Ｍ）を表当て付属させる如く、その対応的な４隅部を抜き差し自在に差し込み係止させることにより、その透視できる状態に保てば良い。
【００４９】
つまり、既製の商品包装箱へこのような加工を施しておくことにより、これを使い捨てることなく、本考案の額縁本体（Ｆ）として再生させるのである。尚、このような加工は透視窓（１０）を有する蓋体（２１）であっても、その４隅部へ予じめ施しておくことができる。
【００５０】
何れにしても、本考案の第２実施形態に係る額縁では合計４本の第１〜４索条（２４ａ）（２４ｂ）（２４ｃ）（２４ｄ）が、箱本体（２２）における長方形な底面の４隅部から後向き一体的に張り出されており、上記第１実施形態と同じ別個な脚板（２５）の対応する第１〜４索条挿通孔（２６ａ）（２６ｂ）（２６ｃ）（２６ｄ）へ、やはり各々直通状態として抜き差し自在に通し込まれるようになっている。
【００５１】
そのため、第２実施形態の額縁でも上記第１実施形態と同様に操作して、合計４本存在する第１〜４索条（２４ａ）（２４ｂ）（２４ｃ）（２４ｄ）のうち、その隣り合う２本づつを額縁本体（Ｆ）の長辺（ｙ）に沿う平行な延在状態又は短辺（ｘ）に沿う平行な延在状態として結び変えることにより、その額縁本体（Ｆ）をテーブル面（Ｔ）へ図１６〜２０のような縦長と横長との選択的に据え立て使用することができるほか、建物の壁面（Ｗ）へやはり縦長と横長（図２１参照）との選択的に吊り掛け使用することもできるのである。
【００５２】
その使用中において、額縁本体（Ｆ）を形作っている箱本体（２２）から蓋体（２１）の脱落するおそれがある場合には、その両者を例えば装飾性がある縁取り接着テープ（図示省略）などにより、仮り止め状態に固定維持すれば良い。
【００５３】
特に、第２実施形態の額縁本体（Ｆ）は上記第１実施形態と異なり、一定深さの箱本体（２２）とその着脱自在の蓋体（２１）とから成るため、その内部へ別個な脚板（２５）を箱本体（２２）の言わば２重底として収納することも可能である。
【００５４】
その結果、各種商品包装箱の内部へ本来の販売商品のみならず、これに付加価値を与える普遍的な絵画や写真、色紙などの枚葉観賞品（Ｍ）と、上記脚板（２５）も一緒に収納して販売し、これを購買した需要者に、その空き箱を本考案の額縁として組み立て使用させることができ、商品販売業者にとってもその商品の販売促進効果を得られる利点がある。
【００５５】
尚、第２実施形態におけるその他の構成と操作法並びに使用状態は上記第１実施形態と実質的に同一であるため、その図１２〜２１に図１〜１１との対応的な符号を記入するにとどめて、その詳細な説明を省略する。
【図面の簡単な説明】
【００５６】
【図１】本考案に係る据え立て可能な額縁の第１実施形態を示す分解斜面図である。
【図２】図１の組立状態を示す背面図である。
【図３】図２の横長としてテーブル面に据え立てた使用状態を示す斜面図である。
【図４】図３の背後方向から見た斜面図である。
【図５】図３の中央縦断面図である。
【図６】縦長としてテーブル面に据え立てた使用状態を示す斜面図である。
【図７】図６の背後方向から見た斜面図である。
【図８】図６の中央縦断面図である。
【図９】横長として建物の壁面に吊り掛けた使用状態を示す斜面図である。
【図１０】図９の側面図である。
【図１１】縦長として建物の壁面に吊り掛けた使用状態を示す斜面図である。
【図１２】本考案に係る据え立て可能な額縁の第２実施形態を示す分解斜面図である。
【図１３】図１２の組立状態を示す背面図である。
【図１４】蓋体の変形実施形態を抽出して示す斜面図である。
【図１５】蓋体の別な変形実施形態を抽出して示す斜面図である。
【図１６】図１３の縦長としてテーブル面に据え立てた使用状態を示す斜面図である。
【図１７】図１６の中央縦断面図である。
【図１８】横長としてテーブル面に据え立てた使用状態を示す斜面図である。
【図１９】図１８の背後方向から見た斜面図である。
【図２０】図１９の中央縦断面図である。
【図２１】横長として建物の壁面に吊り掛けた使用状態の側面図である。
【符号の説明】
【００５７】
（１０）・透視窓
（１１）・化粧枠
（１２）・背面板
（１３）・観賞品出し入れスリット
（１４ａ）（２４ａ）・第１索条
（１４ｂ）（２４ｂ）・第２索条
（１４ｃ）（２４ｃ）・第３索条
（１４ｄ）（２４ｄ）・第４索条
（１５）（２５）・脚板
（１６ａ）（２６ａ）・第１索条挿通孔
（１６ｂ）（２６ｂ）・第２索条挿通孔
（１６ｃ）（２６ｃ）・第３索条挿通孔
（１６ｄ）（２６ｄ）・第４索条挿通孔
（１７）・フック金具
（２０）・透明の合成樹脂フィルム
（２１）・蓋体
（２２）・箱本体
（２８ａ）（２８ｂ）（２８ｃ）（２８ｄ）・コーナー係止片
（２９ａ）（２９ｂ）（２９ｃ）（２９ｄ）・コーナー係止スリット
（Ｆ）・額縁本体
（Ｍ）・枚葉観賞品
（Ｐ）・支点
（Ｓ）・観賞品収納スペース
（Ｔ）・テーブル面
（Ｗ）・壁面
（ｘ）・短辺
（ｙ）・長辺
（θ）・交叉角度（開脚度）
【図１】
0003136911.tif 000003
【図２】
0003136911.tif 000004
【図３】
0003136911.tif 000005
【図４】
0003136911.tif 000006
【図５】
0003136911.tif 000007
【図６】
0003136911.tif 000008
【図７】
0003136911.tif 000009
【図８】
0003136911.tif 000010
【図９】
0003136911.tif 000011
【図１０】
0003136911.tif 000012
【図１１】
0003136911.tif 000013
【図１２】
0003136911.tif 000014
【図１３】
0003136911.tif 000015
【図１４】
0003136911.tif 000016
【図１５】
0003136911.tif 000017
【図１６】
0003136911.tif 000018
【図１７】
0003136911.tif 000019
【図１８】
0003136911.tif 000020
【図１９】
0003136911.tif 000021
【図２０】
0003136911.tif 000022
【図２１】
0003136911.tif 000023